(57)【特許請求の範囲】
【請求項１】
入力部と、該入力部を操作することによって入力された番地について、番地の検索リストを備えたデータ記録部において検索を行う検索処理手段と、入力された番地と前記検索リストの番地とを比較し、入力された番地と完全に一致する番地が検索リストに存在するかどうかを判断する比較処理手段と、入力された番地と完全に一致する番地が検索リストに存在しない場合、一致する層より下層の番地を、入力された番地に対して少なくとも一番近い番地を含む候補番地として表示する表示処理手段とを有することを特徴とするナビゲーション装置。
【請求項２】
前記表示処理手段は、複数の候補番地を候補番地リストで表示する請求項１に記載のナビゲーション装置。
【請求項３】
前記表示処理手段は、前記候補番地リストに隣接させて代表点地図を表示する請求項２に記載のナビゲーション装置。
【請求項４】
入力部を操作することによって入力された番地について検索を行い、入力された番地とデータ記録部の検索リストの番地とを比較し、入力された番地と完全に一致する番地が検索リストに存在するかどうかを判断し、入力された番地と完全に一致する番地が検索リストに存在しない場合、一致する層より下層の番地を、入力された番地に対して少なくとも一番近い番地を含む候補番地として表示することを特徴とする番地表示方法。
【請求項５】
入力部を操作することによって入力された番地について検索を行い、入力された番地とデータ記録部の検索リストの番地とを比較し、入力された番地と完全に一致する番地が検索リストに存在するかどうかを判断し、入力された番地と完全に一致する番地が検索リストに存在しない場合、一致する層より下層の番地を、入力された番地に対して少なくとも一番近い番地を含む候補番地として表示することを特徴とする番地表示方法のプログラムを記録したナビゲーション処理部による読取可能な記録媒体。
【発明の詳細な説明】
【０００１】
【発明の属する技術分野】
本発明は、ナビゲーション装置、番地表示方法及びそのプログラムを記録した記録媒体に関するものである。
【０００２】
【従来の技術】
従来、ナビゲーション装置を搭載した車両においては、運転者等の操作者が所定の入力部を操作して目的地を設定すると、該目的地、及び現在位置検出処理部によって検出された車両の現在の位置、すなわち、現在地に基づいて、現在地から目的地までの経路が探索され、探索された経路が案内される。したがって、経路の案内、すなわち、経路案内に従って車両を走行させることができる。
【０００３】
ところで、前記目的地を設定するに当たり、目標となる地点を特定する必要があり、そのために、五十音検索、電話番号検索、住所検索等の検索が行われるようになっている。そして、前記住所検索においては、操作者が住所を、都道府県、市町村等の行政区画及び番地で入力すると、ナビゲーション装置のデータ記録部に記録されたデータベースに基づいて検索が行われる。
【０００４】
【発明が解決しようとする課題】
しかしながら、前記従来のナビゲーション装置においては、前記データベースは、すべての行政区画についての検索リストを備えるが、すべての番地についての検索リストを備えていないので、操作者によって入力された番地と一致する番地が検索リストに存在する場合は、入力された番地の地点地図が表示部の地図画面に表示されるのに対して、操作者によって入力された番地と一致する番地が検索リストに存在しない場合は、一致するレベルの番地の代表点地図が前記地図画面に表示されるようになっている。したがって、代表点地図が表示された場合、目標となる地点を特定するために、操作者は代表点地図を地図画面上で移動させる必要がある。その結果、目的地を設定するための作業が極めて煩わしい。
【０００５】
本発明は、前記従来のナビゲーション装置の問題点を解決して、目的地を設定するための作業を簡素化することができるナビゲーション装置、番地表示方法及びそのプログラムを記録した記録媒体を提供することを目的とする。
【０００６】
【課題を解決するための手段】
そのために、本発明のナビゲーション装置においては、入力部と、該入力部を操作することによって入力された番地について、番地の検索リストを備えたデータ記録部において検索を行う検索処理手段と、入力された番地と前記検索リストの番地とを比較し、入力された番地と完全に一致する番地が検索リストに存在するかどうかを判断する比較処理手段と、入力された番地と完全に一致する番地が検索リストに存在しない場合、一致する層より下層の番地を、入力された番地に対して少なくとも一番近い番地を含む候補番地として表示する表示処理手段とを有する。
【０００７】
本発明の他のナビゲーション装置においては、さらに、前記表示処理手段は、複数の候補番地を候補番地リストで表示する。
【０００８】
本発明の更に他のナビゲーション装置においては、さらに、前記表示処理手段は、前記候補番地リストに隣接させて代表点地図を表示する。
【０００９】
本発明の番地表示方法においては、入力部を操作することによって入力された番地について検索を行い、入力された番地とデータ記録部の検索リストの番地とを比較し、入力された番地と完全に一致する番地が検索リストに存在するかどうかを判断し、入力された番地と完全に一致する番地が検索リストに存在しない場合、一致する層より下層の番地を、入力された番地に対して少なくとも一番近い番地を含む候補番地として表示する。
【００１０】
本発明のナビゲーション処理部による読取可能な記録媒体においては、入力部を操作することによって入力された番地について検索を行い、入力された番地とデータ記録部の検索リストの番地とを比較し、入力された番地と完全に一致する番地が検索リストに存在するかどうかを判断し、入力された番地と完全に一致する番地が検索リストに存在しない場合、一致する層より下層の番地を、入力された番地に対して少なくとも一番近い番地を含む候補番地として表示する番地表示方法のプログラムを記録する。
【００１１】
【発明の実施の形態】
以下、本発明の実施の形態について図面を参照しながら詳細に説明する。
【００１２】
図１は本発明の実施の形態におけるナビゲーション装置の機能ブロック図である。
【００１３】
図において、３４は入力部、９１は、該入力部３４を操作することによって入力された番地について、番地の検索リストを備えたデータ記録部１６において検索を行う検索処理手段、９２は、入力された番地と前記検索リストの番地とを比較し、入力された番地と一致する番地が検索リストに存在するかどうかを判断する比較処理手段、９３は、入力された番地と一致する番地が検索リストに存在しない場合、一致するレベルの番地より下層の番地を候補番地として表示する表示処理手段である。
【００１４】
図２は本発明の実施の形態におけるナビゲーション装置の概念図である。
【００１５】
図において、１４はナビゲーション装置であり、該ナビゲーション装置１４は、現在地を検出する現在位置検出処理部１５、道路データ等が記録された記録媒体としてのデータ記録部１６、入力された情報に基づいて、ナビゲーション処理等の各種の演算処理を行うナビゲーション処理部１７、操作手段としての入力部３４、表示部３５、音声入力部３６、音声出力部３７及び通信部３８を有し、前記ナビゲーション処理部１７に車速センサ４１が接続される。
【００１６】
そして、前記現在位置検出処理部１５は、ＧＰＳ２１、地磁気センサ２２、距離センサ２３、ステアリングセンサ２４、ビーコンセンサ２５、ジャイロセンサ２６、図示されない高度計等から成る。
【００１７】
前記ＧＰＳ２１は、人工衛星によって発生させられた電波を受信することによって地球上における現在地を検出し、前記地磁気センサ２２は、地磁気を測定することによって車両が向いている方位を検出し、前記距離センサ２３は、道路上の所定の位置間の距離等を検出する。距離センサ２３としては、例えば、図示されない車輪の回転数を測定し、該回転数に基づいて距離を検出するもの、加速度を測定し、該加速度を２回積分して距離を検出するもの等を使用することができる。
【００１８】
また、前記ステアリングセンサ２４は、舵（だ）角を検出し、ステアリングセンサ２４としては、例えば、図示されないステアリングホイールの回転部に取り付けられた光学的な回転センサ、回転抵抗センサ、車輪に取り付けられた角度センサ等が使用される。
【００１９】
そして、前記ビーコンセンサ２５は、道路に沿って配設されたビーコンからの位置情報を受信して現在地を検出する。前記ジャイロセンサ２６は、車両の回転角速度、すなわち、旋回角を検出し、ジャイロセンサ２６としては、例えば、ガスレートジャイロ、振動ジャイロ等が使用される。そして、前記ジャイロセンサ２６によって検出された旋回角を積分することにより、車両が向いている方位を検出することができる。
【００２０】
なお、前記ＧＰＳ２１及びビーコンセンサ２５は、それぞれ単独で現在地を検出することができる。そして、距離センサ２３によって検出された距離と、地磁気センサ２２及びジャイロセンサ２６によって検出された方位とを組み合わせることにより現在地を検出することもできる。また、距離センサ２３によって検出された距離と、ステアリングセンサ２４によって検出された舵角とを組み合わせることによって現在地を検出することもできる。
【００２１】
前記データ記録部１６は、地図データファイル、交差点データファイル、ノードデータファイル、道路データファイル、写真データファイル、及び各地域のホテル、ガソリンスタンド、観光地案内等の施設の情報が記録された施設情報データファイルから成るデータベースを備える。そして、前記各データファイルには、経路を探索するためのデータのほか、前記表示部３５の画面に、探索された経路に沿って案内図を表示したり、交差点又は経路における特徴的な写真、コマ図等を表示したり、次の交差点までの距離、次の交差点における進行方向等を表示したり、他の案内情報を表示したりするための各種のデータが記録される。なお、前記データ記録部１６には、所定の情報を音声出力部３７によって出力するための各種のデータも記録される。
【００２２】
ところで、前記交差点データファイルには各交差点に関する交差点データが、ノードデータファイルにはノード点に関するノードデータが、道路データファイルには道路に関する道路データがそれぞれ記録され、前記交差点データ、ノードデータ及び道路データによって道路状況が表される。なお、前記ノードデータは、前記地図データファイルに記録された地図データにおける少なくとも道路の位置及び形状を構成するものであり、実際の道路の分岐点（交差点、Ｔ字路等を含む）、ノード点、及び各ノード点間を連結するリンクを示すデータから成る。また、前記ノード点は、少なくとも道路の屈曲点の位置を示す。
【００２３】
前記道路データによって、道路自体については、幅員、勾（こう）配、カント、バンク、路面の状態、道路の車線数、車線数の減少する地点、幅員の狭くなる地点等が、コーナについては、曲率半径、交差点、Ｔ字路、コーナの入口等が、道路属性については、踏切、高速道路出口ランプウェイ、高速道路の料金所、降坂路、登坂路、道路種別（国道、一般道、高速道等）等がそれぞれ構成される。
【００２４】
また、前記ナビゲーション処理部１７は、ナビゲーション装置１４の全体の制御を行うＣＰＵ３１、該ＣＰＵ３１が各種の演算処理を行うに当たってワーキングメモリとして使用されるＲＡＭ３２、及び制御プログラムのほか、目的地までの経路の探索、経路中の走行案内、特定区間の決定等を行うための各種のプログラムが記録された記録媒体としてのＲＯＭ３３から成るとともに、前記ナビゲーション処理部１７に、前記入力部３４、表示部３５、音声入力部３６、音声出力部３７及び通信部３８が接続される。
【００２５】
なお、前記データ記録部１６及びＲＯＭ３３は、図示されない磁気コア、半導体メモリ等によって構成される。また、前記データ記録部１６及びＲＯＭ３３として、磁気テープ、磁気ディスク、フロッピーディスク、磁気ドラム、ＣＤ、ＭＤ、ＤＶＤ、光ディスク、ＭＯ、ＩＣカード、光カード等の各種の記録媒体を使用することもできる。
【００２６】
本実施の形態においては、前記ＲＯＭ３３に各種のプログラムが記録され、前記データ記録部１６に各種のデータが記録されるようになっているが、プログラム及びデータを同じ外部の記録媒体に記録することもできる。この場合、例えば、前記ナビゲーション処理部１７に図示されないフラッシュメモリを配設し、前記外部の記録媒体から前記プログラム及びデータを読み出してフラッシュメモリに書き込むこともできる。したがって、外部の記録媒体を交換することによって前記プログラム及びデータを更新することができる。また、図示されない自動変速機制御装置の制御プログラム等も前記外部の記録媒体に記録することができる。このように、各種の記録媒体に記録されたプログラムを起動し、データに基づいて各種の処理を行うことができる。
【００２７】
前記通信部３８は、ＦＭ送信装置、電話回線等との間で各種のデータの送受信を行うためのものであり、例えば、図示されない情報センサ等によって受信した渋滞等の道路情報、交通事故情報、ＧＰＳ２１の検出誤差を検出するＤ−ＧＰＳ情報等の各種のデータを受信する。なお、本発明の機能を実現するためのプログラム及びデータの少なくとも一部を前記通信部３８によって受信し、フラッシュメモリ等に記録することもできる。
【００２８】
そして、前記入力部３４は、走行開始時の位置を修正したり、目的地を入力したりするためのものであり、表示部３５の画面に画像で表示された操作キー、操作メニュー等の操作スイッチから成る。したがって、操作スイッチを押す（タッチする）ことにより、入力を行うことができる。なお、入力部３４として、表示部３５と別に配設されたキーボード、マウス、バーコードリーダ、ライトペン、遠隔操作用のリモートコントロール装置等を使用することもできる。
【００２９】
また、前記表示部３５の画面には、現在地及びその周辺の地図、目的地及びその周辺の地図、現在地から目的地までの経路、該経路に沿った案内情報等も表示される。前記表示部３５としては、ＣＲＴディスプレイ、液晶ディスプレイ、プラズマディスプレイ、フロントガラスにホログラムを投影するホログラム装置等を使用することができる。
【００３０】
また、音声入力部３６は、図示されないマイクロホン等によって構成され、音声によって必要な情報を入力することができる。さらに、音声出力部３７は、図示されない音声合成装置及びスピーカを備え、音情報、例えば、音声合成装置によって合成された音声から成る案内情報、変速情報等をスピーカから出力し、操作者に知らせる。なお、音声合成装置によって合成された音声のほかに、各種の音、あらかじめテープ、メモリ等に録音された各種の案内情報をスピーカから出力することもできる。
【００３１】
前記構成のナビゲーション装置１４において、ＣＰＵ３１の表示処理手段９３（図１）は、表示処理を行うことによって、表示部３５に案内画面を設定し、該案内画面に現在地及び周辺の地図を表示する。したがって、操作者は、地図に従って車両を走行させることができる。また、操作者によって入力部３４が操作されて目的地が設定されると、経路探索処理が行われ、現在地から目的地までの経路が探索され、案内画面に現在地、その周辺の地図及び探索された経路が表示される。したがって、操作者は、経路案内に従って車両を走行させることができる。
【００３２】
ところで、前記目的地を設定するに当たり、目標となる地点を特定する必要があり、そのために、五十音検索、電話番号検索、住所検索等の検索が行われるようになっている。そして、前記住所検索においては、操作者が住所を、都道府県、市町村等の行政区画及び番地で入力すると、前記データ記録部１６に記録されたデータベースに基づいて検索が行われる。
【００３３】
ところが、前記データベースを構成する地図データファイルは、すべての行政区画についての検索リストを備えるが、すべての番地についての検索リストを備えていない。したがって、操作者によって入力された番地と一致する番地が検索リストに存在する場合は、入力された番地の地点地図が表示部３５の地図画面に表示されるのに対して、操作者によって入力された番地と一致する番地が検索リストに存在しない場合は、一致するレベルの番地の代表点地図が前記地図画面に表示されるようになっている。
【００３４】
そして、目標となる地点を特定することができるように、前記検索リストから、前記レベルより下層の番地が読み出され、該下層の番地から成る候補番地リストが作成され、前記地図画面に代表点地図と隣接させて表示されるようになっている。
【００３５】
次に、前記構成のナビゲーション装置１４の動作について説明する。
【００３６】
図３は本発明の実施の形態におけるナビゲーション装置の住所検索が行われたときの動作を示すフローチャート、図４は本発明の実施の形態における検索リストのうちの番地部分の例を示す図、図５は本発明の実施の形態における表示部に設定された番地入力画面を示す図、図６は本発明の実施の形態における表示部に設定された地図画面の第１の例を示す図、図７は本発明の実施の形態における表示部に設定された地図画面の第２の例を示す図、図８は本発明の実施の形態における表示部に設定された地図画面の第３の例を示す図、図９は本発明の実施の形態における候補番地リストの第１の例を示す図、図１０は本発明の実施の形態における候補番地リストの第２の例を示す図、図１１は本発明の実施の形態における候補番地リストの第３の例を示す図である。
【００３７】
図５において、４２は番地入力画面であり、該番地入力画面４２は、操作者が図示されない行政区画入力画面において行政区画を入力することによって表示部３５（図２）に設定される。また、４３は住所のうちの既に入力された行政区画を表示するための第１の入力欄、４４は住所のうちの番地を入力するための第２の入力欄、４０は番地を入力する際に操作されるテンキーであり、該テンキー４０は「０」、「１」、…、「９」の各数字が表示されたキーｋｉ（ｉ＝０、１、…、９）を備える。また、４８は番地を入力するための「−」の記号が表示されたキー、４５は前の画面に戻すための「戻る」の文字が表示されたキー、４６は入力された番地を修正するための「修正」の文字が表示されたキー、４７は各キーｋｉ及びキー４８を押す作業が終了したことを表す「完了」の文字が表示されたキーである。
【００３８】
この場合、表示部３５に番地入力画面４２が設定されていて、図５に示されるように、前記第１の入力欄４３に、行政区画「愛知県豊田市葵町１丁目」が表示されている。そして、操作者が、テンキー４０及びキー４６、４８を操作することによって、第２の入力欄４４に番地「３−４」を入力し、キー４７を押すと、ＣＰＵ３１の検索処理手段９１（図１）は、データ記録部１６において行政区画「愛知県豊田市葵町１丁目」及び番地「３−４」について検索を行う。前述されたように、データ記録部１６のデータベースは、すべての行政区画についての検索リストを備えるが、すべての番地についての検索リストを備えていないので、前記ＣＰＵ３１の比較処理手段９２は、操作者によって入力された番地「３−４」と前記検索リストの番地とを比較し、入力された番地「３−４」と一致する番地が検索リストに存在するかどうかを判断する。
【００３９】
例えば、前記データベースにおいて、前記行政区画「愛知県豊田市葵町１丁目」より下層に、入力された番地「３−４」と一致する番地が検索リストに存在する場合、図６に示されるように、前記表示処理手段９３は、表示部３５に地図画面５１を設定し、該地図画面５１に番地「３−４」の地点地図５６を表示するとともに、地図画面５１の表示欄５２に、住所「愛知県豊田市葵町１丁目３−４」を表示する。前記地点地図５６は、目標となる地点を表す指標５５、及び該指標５５の周辺の地図から成る。
【００４０】
また、前記表示処理手段９３は、前記地図画面５１に、前の画面に戻すための「戻る」の文字が表示されたキー４５、方位を示す表示欄５３、ＧＰＳ２１の検出状態を表す表示欄５４、地点地図５６を所定の縮尺で拡大するための「詳細」の文字が表示されたキー５７、地図画面５１上で指標５５に対する周辺の地図の位置を変更するための「位置変更」の文字が表示されたキー５８、指標５５を目標となる地点として決定するための「セット」の文字が表示されたキー５９、地点地図５６を所定の縮尺で縮小するための「広域」の文字が表示されたキー６０を表示する。
【００４１】
したがって、操作者が前記キー５９を押すと、前記表示処理手段９３は、指標５５を目標となる地点として決定する。また、操作者がキー５８を押すと、表示処理手段９３は、地点地図５６における指標５５の周辺に放射状に配列された図示されない複数の矢印キーを表示する。したがって、操作者が、所定の矢印キーを押すことによって、指標５５に対する周辺の地図を移動させ、その後、キー５９を押すことによって、指標５５を目標となる地点として決定することができる。
【００４２】
また、前記データベースにおいて、図４に示されるように、前記行政区画「愛知県豊田市葵町１丁目」より下層に、入力された番地「３−４」と一致する番地が検索リストに存在しない場合、図７に示されるように、前記表示処理手段９３は、表示部３５に地図画面５１を設定し、該地図画面５１に番地「３」の代表点地図６６を表示するとともに、地図画面５１の表示欄５２に、住所「愛知県豊田市葵町１丁目３」を表示する。前記代表点地図６６は、目標となる地点を表す指標５５、該指標５５の周辺の地図、及び指標５５の周辺に放射状に配列された複数の矢印キー６２から成る。また、前記表示処理手段９３は、前記地図画面５１に、図６と同様のキー４５、５７、５９、６０及び表示欄５３、５４を表示する。
【００４３】
したがって、操作者が所定の矢印キー６２を押して、前記指標５５に対する周辺の地図を移動させ、その後、キー５９を押すことによって、指標５５を目標となる地点として決定することができる。
【００４４】
ところで、矢印キー６２を押すことなく、目標となる地点を特定することができるように、前記表示処理手段９３は、前記地図画面５１に「周辺住所」の文字が表示されたキー６３を表示する。そして、操作者が前記キー６３を押すと、前記表示処理手段９３の図示されない候補番地リスト作成処理手段は、候補番地リスト作成処理を行い、前記検索リストから、番地「３」より下層の番地を候補番地として読み出し、所定の数の候補番地から成る候補番地リストを作成する。また、前記表示処理手段９３の図示されない地図加工処理手段は、地図加工処理を行い、前記代表点地図６６を所定の縮尺で縮小する。この場合、縮尺は、代表点地図６６が縮小されて表示されるように設定される。
【００４５】
なお、本実施の形態において、地図加工処理手段は、代表点地図６６を所定の縮尺で縮小することによって地図加工処理を行うようにしているが、代表点地図６６をトリミングすることによって地図加工処理を行うこともできる。
【００４６】
そして、前記表示処理手段９３は、表示部３５に地図画面５１を設定し、該地図画面５１に、図８に示されるような、地図加工処理が行われた後の代表点地図（以下「処理後代表点地図」という。）８０及び候補番地リスト７２を互いに隣接させて表示する。
【００４７】
該候補番地リスト７２は、例えば、５個の候補番地を表示するキー７４〜７８を備えた候補番地表示部７３、及び前記キー７４〜７８をスクロールするためのスクロールバー８１を備え、該スクロールバー８１のスクロールボックスを押すことによってキー７４〜７８をスクロールすると、前記表示処理手段９３は、矢印部７９によって指示される候補番地を変化させ、矢印部７９によって指示された候補番地、すなわち、指示候補番地に対応する処理後代表点地図８０を表示するとともに、表示欄５２に、指示候補番地に対応する住所「愛知県豊田市葵町１丁目３」を表示する。また、表示処理手段９３は、前記処理後代表点地図８０における前記指示候補番地の座標に、ポイントマーク８２を表示する。
【００４８】
続いて、操作者が指示候補番地のキー、例えば、図８においては、キー７４を押すと、前記表示処理手段９３は、前記表示欄５２に表示された住所「愛知県豊田市葵町１丁目３」に、キー７４によって示される指示候補番地「３」を付加して住所「愛知県豊田市葵町１丁目３−３」を作成し、地図画面５１に番地「３−３」の地点地図を表示する。
【００４９】
したがって、番地「３−３」の地点地図において、図６の地点地図５６と同様に、操作者が前記キー５９を押すと、前記表示処理手段９３は、指標５５を目標となる地点として決定する。また、操作者がキー５８を押すと、表示処理手段９３は、地点地図５６における指標５５の周辺に放射状に配列された複数の矢印キーを表示する。したがって、操作者が、所定の矢印キーを押すことによって、指標５５に対する周辺の地図を移動させ、その後、キー５９を押すことによって、指標５５を目標となる地点として決定することができる。
【００５０】
このように、操作者によって入力された番地と一致する番地が検索リストに存在しない場合は、一致するレベルの番地より下層の番地から成る候補番地リスト７２が作成され、前記地図画面５１に処理後代表点地図８０と隣接させて候補番地リスト７２が表示されるので、目標となる地点を特定するために、操作者は代表点地図６６を地図画面５１上で移動させる必要がなくなる。したがって、目的地を設定するための作業を極めて簡素化することができる。
【００５１】
なお、図８に示されるように、前記候補番地リスト７２において、矢印部７９によって候補番地「３」が指示されているときに、操作者が、他の候補番地のキー７５〜７８を押すと、前記表示処理手段９３は、処理後代表点地図８０を表示することなく、前記表示欄５２に表示された住所「愛知県豊田市葵町１丁目３」に、各キー７５〜７８によって示される指示候補番地「６」、「８−１」、「８−２」、「９」を付加して住所「愛知県豊田市葵町１丁目３−６」、「愛知県豊田市葵町１丁目３−８−１」、「愛知県豊田市葵町１丁目３−８−２」、「愛知県豊田市葵町１丁目３−９」を作成し、地図画面５１に番地「３−６」、「３−８−１」、「３−８−２」、「３−９」の地点地図を表示する。
【００５２】
また、前記候補番地リスト７２において各候補番地は、入力された番地と検索リストの番地との一致度が高い順に表示される。例えば、入力された番地が「３−４」である場合、番地「３−４」と図４に示される検索リストの番地「３−３」とは値「１」が異なり、番地「３−４」と検索リストの番地「３−６」とは値「２」が異なる。そこで、図９に示されるように、前記候補番地リスト７２には、候補番地「３」が先頭に、候補番地「６」が候補番地「３」の次に表示される。同様に、候補番地「８−１」、「８−２」、「９」が順に表示される。なお、前記検索リストは、番地「３−８−１」、「３−８−２」より上層に番地「３−８」を有するが、該番地「３−８」は、候補番地リスト７２において候補番地としては使用されず、例えば、入力された番地が「３−８−３」である場合に、番地「３−８」の代表点地図を表示するために使用される。
【００５３】
同様に、入力された番地が「３−５」である場合、図１０に示されるように、候補番地「６」、「８−１」、「８−２」、「９」、「１０」が順に表示される。また、入力された番地が「３−７」である場合、番地「３−７」と前記検索リストの番地「３−６」、「３−８」とはいずれも値「１」が異なる。この場合、番地「３−６」が番地「３−８」より値が小さいので、図１１に示されるように、候補番地「６」、「８−１」、「８−２」、「９」、「１０」が順に表示される。
【００５４】
次に、フローチャートについて説明する。
ステップＳ１  番地「３−４」と一致する番地が存在するかどうかを判断する。番地「３−４」と一致する番地が存在する場合はステップＳ２に、存在しない場合はステップＳ３に進む。
ステップＳ２  番地「３−４」の地点地図５６を表示し、処理を終了する。
ステップＳ３  番地「３」と一致する番地が存在するかどうかを判断する。番地「３」と一致する番地が存在する場合はステップＳ４に、存在しない場合はステップＳ５に進む。
ステップＳ４  番地「３」の代表点地図６６を表示し、処理を終了する。
ステップＳ５  １丁目の代表点地図を表示し、処理を終了する。
【００５５】
なお、本発明は前記実施の形態に限定されるものではなく、本発明の趣旨に基づいて種々変形させることが可能であり、それらを本発明の範囲から排除するものではない。
【００５６】
【発明の効果】
以上詳細に説明したように、本発明によれば、ナビゲーション装置においては、入力部と、該入力部を操作することによって入力された番地について、番地の検索リストを備えたデータ記録部において検索を行う検索処理手段と、入力された番地と前記検索リストの番地とを比較し、入力された番地と完全に一致する番地が検索リストに存在するかどうかを判断する比較処理手段と、入力された番地と完全に一致する番地が検索リストに存在しない場合、一致する層より下層の番地を、入力された番地に対して少なくとも一番近い番地を含む候補番地として表示する表示処理手段とを有する。
【００５７】
この場合、目標となる地点を特定するために、操作者は代表点地図を地図画面上で移動させる必要がなくなる。したがって、目的地を設定するための作業を極めて簡素化することができる。
【図面の簡単な説明】
【図１】本発明の実施の形態におけるナビゲーション装置の機能ブロック図である。
【図２】本発明の実施の形態におけるナビゲーション装置の概念図である。
【図３】本発明の実施の形態におけるナビゲーション装置の住所検索が行われたときの動作を示すフローチャートである。
【図４】本発明の実施の形態における検索リストのうちの番地部分の例を示す図である。
【図５】本発明の実施の形態における表示部に設定された番地入力画面を示す図である。
【図６】本発明の実施の形態における表示部に設定された地図画面の第１の例を示す図である。
【図７】本発明の実施の形態における表示部に設定された地図画面の第２の例を示す図である。
【図８】本発明の実施の形態における表示部に設定された地図画面の第３の例を示す図である。
【図９】本発明の実施の形態における候補番地リストの第１の例を示す図である。
【図１０】本発明の実施の形態における候補番地リストの第２の例を示す図である。
【図１１】本発明の実施の形態における候補番地リストの第３の例を示す図である。
【符号の説明】
１４    ナビゲーション装置
１６    データ記録部
３３    ＲＯＭ
３４    入力部
７２    候補番地リスト
８０    処理後代表点地図
９１    検索処理手段
９２    比較処理手段
９３    表示処理手段
【図１】
0003978309.tif 000002
【図２】
0003978309.tif 000003
【図３】
0003978309.tif 000004
【図４】
0003978309.tif 000005
【図５】
0003978309.tif 000006
【図６】
0003978309.tif 000007
【図７】
0003978309.tif 000008
【図８】
0003978309.tif 000009
【図９】
0003978309.tif 000010
【図１０】
0003978309.tif 000011
【図１１】
0003978309.tif 000012